(57)【特許請求の範囲】
【請求項１】
微細凹凸形状を有する光学シートと波長選択性を有する回折格子とを貼り合わせた光拡散シートと、
光源と、
を有する３管式の投射型スクリーンであって、
前記回折格子は、光感光性材料に前記微細凹凸を有する前記光学シートを一体化された後、少なくとも一方の可干渉性のある光線が、前記光学シート側から前記光感光性材料層に入射することで多重露光されて形成されたものからなり、
前記光感光性材料層に記録する際と同じ色数の前記光源を用い、かつ前記光感光性材料層に記録する際の前記光源と同じ位置に前記光源を配置することを特徴とする３管式の投射型スクリーン。
【発明の詳細な説明】
【技術分野】
【０００１】
本発明は、複数の色の光源を配置した投射型スクリーンであっても、それぞれの光源の位置によって、微細凹凸形状を有する光学シートへの入射光のずれを回折格子によって補償することができる光拡散シートおよび投射型スクリーンに関する。
【背景技術】
【０００２】
微細凹凸形状のレンズ部を有するレンズシートを用いた投射型表示装置の構成として、例えば、光源からの光をフレネルレンズシートで平行光にし、この平行光を、微細凹凸形状を有するレンズ部を有するレンズシートへ入射させることで、所望の拡散効果を発揮させている投射型スクリーンが一般的である。
【０００３】
また、回折格子とフレネルレンズシートを一体としたスクリーンが提案されている。（例えば、特許文献１参照）
上記特許文献１には、白色光を光源とするものは開示されているが、光学エンジンの光源が複数の色からなる場合については開示されておらず、この光源の位置または形状、波長の違いにより、所望の拡散効果を得られない場合がある。
【特許文献１】特開２０００−２５８８４５号公報
【発明の開示】
【発明が解決しようとする課題】
【０００４】
本発明は上記課題を解決するためのものであり、回折格子によって、光源の位置、形状、または波長の違いにかかわらず所望の方向に光線を拡散させ、光源の光線を光拡散シートに入射させるを可能としたことにある。
【課題を解決するための手段】
【０００５】
上記課題を解決するために、請求項１の発明は、微細凹凸形状を有する光学シートと波長選択性を有する回折格子とを張り合わせた光拡散シートと、光源と、を有する３管式の投射型スクリーンであって、前記回折格子は、前記光感光性材料に前記微細凹凸を有する前記光学シートを一体化された後、多重露光されて形成されたものからなり、前記光感光性材料層に記録する際と同じ色数の前記光源を用い、かつ前記光感光性材料層に記録する際の前記光源と同じ位置に前記光源を配置することを特徴とする３管式の投射型スクリーンである。
【０００６】
前記回折格子は、微細凹凸形状を有する光学シートの、少なくとも片側に光感光性材料層設け、この光感光性材料層に、プロジェクタの光源と同じ位置にある干渉性のある光源と、該プロジェクタの光源と同じ位置にある干渉性のある光源から、前記光拡散シートへ入射させた方向と該光拡散シートに対して逆方向から入射させた光線との干渉縞を記録することにより得られる。
【０００７】
前記構成の投射型スクリーンとする事によって、再生の際、プロジェクタの光源から投射した光線を、前記回折格子で反射あるいは透過させ、所望の光線とし、その光線を光拡散シートへ入射させている。
【０００８】
これによって光源の位置または形状、波長の違いによらず所望の方向に光線を拡散させる事が可能である。
【発明の効果】
【０００９】
本発明では、回折格子を用いた微細凹凸形状を有する光拡散シートを用いた投射型スクリーンとすることで、色数分の光源の位置、大きさ、波長を制御し、所望の光拡散効果を得る事ができる。
【発明を実施するための最良の形態】
【００１０】
以下、微細凹凸形状を有する光拡散シートと回折格子を有する光拡散シートについて説明する。
【００１１】
図１〜図４に基づき微細凹凸形状にを有する光学シートに配置する回折格子の製造方法について説明する。
【００１２】
図１は、微細凹凸形状を有する光学シート１の表面の片側に、回折格子を生成するための光感光性材料層２を設けた状態を示すものである。
【００１３】
この光感光性材料層２は、例えば可視光に反応する材料からなり、透過型、あるいは反射型のホログラムの製作に用いられるような解像度の高い材料を用いるのが好ましい。
【００１４】
次に、図２〜図４は回折格子を生成する際の露光の様子を示している。
【００１５】
微細凹凸形状を有する光学シート１は、入射光に対して所望の拡散光を得るものであるが、光源が複数あった場合、入射光の位置、大きさの違いよってシートへの入射角度が異なり、所望の拡散光が得られない場合がある。
【００１６】
また本発明の投射型スクリーンに用いる光拡散シートはフルカラーであることも考慮して、色の数を複数とし（図２〜図４では、赤、緑、青成分を例にとっている。）記載してある。
【００１７】
まず、図２では赤の光源を例として、再生の際、赤の光源と同じ位置４に、光干渉性のある赤の光源を設置し、光感光性材料層２に投射する。そして可干渉性のある光源から光感光性材料層２に投射した光線と、その光源の投射方向とシートに対して、同方向または逆方向から投射した光線を干渉させる事によって回折格子を生成する。
【００１８】
そして、その工程を色の数（例えば図２〜図４の赤、緑、青成分）を繰り返して行う事によって多重露光させる。
【００１９】
ここで、以上の工程は光学シートと光感光性材料層を一体化させてから露光する方法であるが、予め製作してある回折格子を光学シートに貼り合わせる方法がある。
【００２０】
この場合、例えば光学的に露光する場合や、計算機によって計算し得られた回折格子を用いる場合が考えられる。この場合も光拡散性の性能を上げることができる。
【００２１】
以上の方法により製作した光拡散シートの再生の状態を図５に示した。
【００２２】
再生の際には、光感光性材料層に記録する際と同じ色数の光源を用いて、さらに光感光性材料に記録する際の光源と同じ位置にプロジェクタの光源を置く。
【００２３】
このようにすることによって、再生の際の光源と同じ位置に記録の際、可干渉性のある光源を配置することと等価である。
【００２４】
以上の光拡散シートは、例えば図６に示す３管式の投射型スクリーンに用いる事で性能を発揮する事ができる。
【図面の簡単な説明】
【００２５】
【図１】本発明による光拡散シートに用いる回折格子の製造の一例を示す説明図であり、微細凹凸形状を有する光学シート１の表面の片側に、回折格子を生成するための光感光性材料層２を設けた状態を示す説明図。
【図２】本発明による光拡散シートに用いる回折格子（赤）の製造例を示す説明図。
【図３】本発明による光拡散シートに用いる回折格子（緑）の製造例を示す説明図。
【図４】本発明による光拡散シートに用いる回折格子（青）の製造例を示す説明図。
【図５】本発明の光拡散シートによる再生状態を示す説明図。
【図６】本発明の光拡散シートを投射型スクリーンとして用いた例を示す説明図。
【符号の説明】
【００２６】
１…光学シート
２…光感光性材料層
３…入射光
４…赤のコヒーレント光
５…緑のコヒーレント光
６…青のコヒーレント光
７…赤のＣＲＴ
８…緑のＣＲＴ
９…青のＣＲＴ
１０…３管式投射型スクリーン
【図１】
0004470412.tif 000002
【図２】
0004470412.tif 000003
【図３】
0004470412.tif 000004
【図４】
0004470412.tif 000005
【図５】
0004470412.tif 000006
【図６】
0004470412.tif 000007